(57)【特許請求の範囲】
【請求項１】
信号を受信する受信器と、盗難を防止すべき対象物への取り付け状態を検出する検出器と、警報を出力する警報出力器と、前記受信器が受信した信号を解析して当該信号が所定信号であるか否かを判定する信号解析手段と、前記検出器の検出結果及び前記信号解析手段の判定結果に基づいて、前記警報出力器の出力動作を制御する警報出力制御手段とを備える盗難防止装置において、
前記受信器が信号を受信したか否かを所定周期で判断する受信判断手段と、時間を計測する第１計時手段と、前記受信判断手段が信号を受信したと判断した場合、前記第１計時手段が計時しているか否かを判断する手段と、計時していないと判断した場合、前記第１計時手段に計時を開始させる手段と、前記信号解析手段が所定信号でないと判定する都度、前記第１計時手段が計時した時間が所定時間に達しているか否かを判断する計時判断手段とを備え、前記警報出力制御手段は、前記計時判断手段が所定時間に達していると判断した場合、前記警報出力器を作動させるようになしてあることを特徴とする盗難防止装置。
【請求項２】
前記受信判断手段が信号を受信したと判断した場合、前記信号解析手段及び警報出力制御手段を消費電力が少ない待機状態から消費電力が多い動作状態に移行させる手段と、動作状態に移行してからの時間を計測する第２計時手段と、該第２計時手段の計時時間が所定時間に達したか否かを判断する手段と、所定時間に達したと判断した場合、前記信号解析手段及び警報出力制御手段を動作状態から待機状態に移行させる手段と、前記信号解析手段によって所定信号でないと判定される都度、前記第２計時手段の計時時間を初期化する手段とを備える請求項１記載の盗難防止装置。
【請求項３】
前記警報出力制御手段は、前記検出器が対象物からの取り外しを検出した場合、又は前記信号解析手段が所定信号であると判定した場合、前記警報出力器に第１警報を出力させ、前記計時判断手段が所定時間に達していると判断した場合、前記警報出力器に第２警報を出力させるようになしてある請求項１又は２記載の盗難防止装置。
【発明の詳細な説明】
【０００１】
【発明の属する技術分野】
本発明は、盗難を防止すべき対象物への取り付け状態を検出して警報を発する盗難防止装置に関する。
【０００２】
【従来の技術】
図８及び図９は自鳴式の盗難防止タグの使用状態を説明する説明図であり、図８は、対象物への取り付け具がワイヤである場合を、また図９は、対象物への取り付け具がピンである場合を示している。
【０００３】
図８に示した如く、ワイヤ９４は、導電性のピン状部材をその先端を除いて絶縁材で被覆した２つの差込み部を、フレキシブル導体を絶縁材で被覆した連絡部で連絡してなり、両差込み部の先端近傍の周面には環状の溝が設けてある。短冊状のタグ本体の一端面には前記ワイヤ９４の差込み部を差し込む２つの差込み穴が開設してあり、両差込み穴の内部には、前述した溝に係合して両差込み部をロックするロック機構が設けてある。そして、ワイヤ９４を、上着及びシャツのボタン穴又は衣類の襟元に設けたタグ等（図８では上着のボタン穴）、対象物Ｔの取り付け部位に挿通させ、ワイヤ９４の差込み部をタグ本体の差込み穴に、前記溝とロック機構とが係合するまで差し込むことによって、盗難防止タグ９１を対象物Ｔに取り付ける。
【０００４】
また、図９に示した如く、ピン９５は、円板状の頭部の下面中央に針状の脚部を垂設してなり、脚部の先端近傍の周面には環状の溝が設けてある。タグ本体の表面の一端近傍には、ピン９５の脚部を差し込む差込み穴が設けてあり、差込み穴の内部には、前述した溝に係合して脚部をロックするロック機構が設けてある。そして、ピン９５の脚部を、ニット製品の編み目及びシャツのボタン穴等（図９ではニット製品の編み目）、対象物Ｔの取り付け部位に挿通させ、ピン９５の脚部をタグ本体の差込み穴に、前記溝とロック機構とが係合するまで差し込むことによって、盗難防止タグ９２を対象物Ｔに取り付ける。
【０００５】
図８及び図９に示したタグ本体は、送信器から送信される信号を受信するアンテナ、ブザー及びバッテリ等を内蔵している。送信器は、盗難防止タグ９１，９２が受信し得る強度の信号を所定の領域内へ送信するようになしてあり、出入口に設置したゲートに送信器を配設しておくことによって、盗難防止タグ９１，９２を取り付けた対象物Ｔがゲートに接近して、タグ本体が送信器から送信された信号を受信した場合、タグ本体はブザーを作動させて警報音を発し、対象物Ｔの盗難を防止する。
【０００６】
また、ワイヤ９４及びピン９５は常閉接点として機能しており、盗難防止タグ９１，９２を対象物Ｔから取り除くべく、ワイヤ９４又はピン９５をタグ本体から抜出した場合、又はワイヤ９４を切断した場合、タグ本体はそれを検出し、ブザーを作動させて警報音を発する。
【０００７】
【発明が解決しようとする課題】
ところで、ゲートに設けた送信器以外に、携帯電話及び携帯型パーソナルコンピュータ等，電波信号を発信する電子機器が、盗難防止装置の近傍に持ち運ばれることがあるので、盗難防止装置は、何らかの電波信号を受信した場合、前述した送信器から送信された信号であるか否かを判断し、そうであると判断した場合はブザーを作動させて警報音を発し、そうでないと判断した場合はブザーを作動させないようになしてある。
【０００８】
このような従来の盗難防止装置の近傍に前記電子機器が配置された場合、盗難防止装置は、電子機器から電波信号が発信される都度、前述した判断動作を実行する。しかし、ユーザは盗難防止装置が作動していることを察知することができないため、盗難防止装置は、判断動作を繰り返してバッテリを消耗し、遂には作動停止してしまうという問題があった。
【０００９】
本発明はかかる事情に鑑みてなされたものであって、その目的とするところは、近傍に電子機器が配置された場合であってもバッテリの消耗を可及的に抑制することができる盗難防止装置を提供することにある。
【００１０】
【課題を解決するための手段】
第１発明に係る盗難防止装置は、信号を受信する受信器と、盗難を防止すべき対象物への取り付け状態を検出する検出器と、警報を出力する警報出力器と、前記受信器が受信した信号を解析して当該信号が所定信号であるか否かを判定する信号解析手段と、前記検出器の検出結果及び前記信号解析手段の判定結果に基づいて、前記警報出力器の出力動作を制御する警報出力制御手段とを備える盗難防止装置において、前記受信器が信号を受信したか否かを所定周期で判断する受信判断手段と、時間を計測する第１計時手段と、前記受信判断手段が信号を受信したと判断した場合、前記第１計時手段が計時しているか否かを判断する手段と、計時していないと判断した場合、前記第１計時手段に計時を開始させる手段と、前記信号解析手段が所定信号でないと判定する都度、前記第１計時手段が計時した時間が所定時間に達しているか否かを判断する計時判断手段とを備え、前記警報出力制御手段は、前記計時判断手段が所定時間に達していると判断した場合、前記警報出力器を作動させるようになしてあることを特徴とする。
【００１１】
受信判断手段は受信器が信号を受信したか否かを所定周期で判断し、信号を受信したと判断したとき、第１計時手段が計時しているか否かを判断する。第１計時手段が計時していないと判断した場合、第１計時手段に計時を開始させる。信号解析手段は、受信器が受信した信号を解析してそれが所定信号であるか否かを判定し、所定信号であると判定された場合、警報出力制御手段は警報出力器に警報を出力させる。
【００１２】
一方、信号解析手段によって所定信号でないと判定された場合、計時判断手段は、第１計時手段が計時した時間が所定時間に達しているか否かを判断し、所定時間に達していると判断した場合、警報出力制御手段は警報出力器に警報を出力させる。これによって、ユーザは、送信器以外の電子機器から発信された電波信号によって盗難防止装置が動作していることを察知することができるため、盗難防止装置の動作を停止させる処置を施して、バッテリの消耗を可及的に抑制することができる。
【００１３】
第２発明に係る盗難防止装置は、第１発明において、前記受信判断手段が信号を受信したと判断した場合、前記信号解析手段及び警報出力制御手段を消費電力が少ない待機状態から消費電力が多い動作状態に移行させる手段と、動作状態に移行してからの時間を計測する第２計時手段と、該第２計時手段の計時時間が所定時間に達したか否かを判断する手段と、所定時間に達したと判断した場合、前記信号解析手段及び警報出力制御手段を動作状態から待機状態に移行させる手段と、前記信号解析手段によって所定信号でないと判定される都度、前記第２計時手段の計時時間を初期化する手段とを備えることを特徴とする。
【００１４】
信号解析手段及び警報出力制御手段は、消費電力が少ない待機状態で待機しており、受信判断手段が信号を受信したと判断した場合、信号解析手段及び警報出力制御手段を待機状態から動作状態に移行させる。第２計時手段は、動作状態に移行してからの時間を計測し、計時時間が所定時間に達した場合、信号解析手段及び警報出力制御手段を動作状態から待機状態に移行させる。この間、前述した信号解析手段が所定信号でないと判定する都度、第２計時手段の計時時間を初期化する。
【００１５】
これによって、バッテリの消耗が更に抑制することができると共に、信号解析手段によって所定信号でないと判定された信号が所定時間受信された場合に行う、警報の出力が担保される。また、移動中の電子機器から発信された信号を受信した場合、信号解析手段及び警報出力制御手段は動作状態になるが、前記電子機器が去った場合、信号解析手段及び警報出力制御手段は待機状態に移行するため、偶発的に警報が出力されることが防止される。
【００１６】
更に、第１計時手段が計時した時間が所定時間に達して、警報出力器から警報が出力されている場合であっても、信号の発信が停止した場合、又は信号の発信源が遠のいた場合、信号解析手段及び警報出力制御手段は待機状態に移行して、警報の出力が停止する。これによって、バッテリの消耗を可及的に抑制して発信器による悪戯を防止することができる。
【００１７】
第３発明に係る盗難防止装置は、第１又は第２発明において、前記警報出力制御手段は、前記検出器が対象物からの取り外しを検出した場合、又は前記信号解析手段が所定信号であると判定した場合、前記警報出力器に第１警報を出力させ、前記計時判断手段が所定時間に達していると判断した場合、前記警報出力器に第２警報を出力させるようになしてあることを特徴とする。
【００１８】
第１警報によって対象物の盗難が発生したことを知らせ、第１警報とは異なる第２警報によって、バッテリの消耗を知らせる。これによって、ユーザは、バッテリの消耗と、盗難の発生とを識別することができ、それぞれに対応する処置を迅速に実施することができる。
【００１９】
【発明の実施の形態】
以下、本発明の実施の形態を図面に基づいて具体的に説明する。
図１は本発明に係る盗難防止装置の一例を示す外観斜視図であり、図２は図１に示した盗難防止装置の分解斜視図である。短冊状の外箱１は、一対の正面側箱部材２及び背面側箱部材３を超音波接合することによって形成してある。正面側箱部材２及び背面側箱部材３内には、プリント配線した基板１１、ボタンスイッチ２０及びボタン電池５が格納されており、ボタン電池５はブザーを内蔵する円形のカバー部材４に内嵌してある。
【００２０】
基板１１の正面には、所定周波数の信号を受信するための共振装置１２、及び共振装置１２が受信した信号及びボタンスイッチ２０から与えられる開閉信号に基づいて、ブザーによる警報音の発生を制御するマイクロコンピュータ３０等が実装してある。また、基板１１には、ボタンスイッチ２０と接続する４つの接点１４，１４，１４，１４等が設けてある。
【００２１】
ボタンスイッチ２０は、矩形状のケース２１の正面中央に円柱状のセンサーボタン２２を入出自在に突設してなり、該センサーボタン２２から距離を隔てた位置にスライドボタン２３が、外箱１の長手方向へ摺動自在に設けてある。ケース２１の裏面には、スライドボタン２３に係る１対の電極、及びセンサーボタン２２に係る１対の電極が、前述した基板１１に設けてある各接点１４，１４，１４，１４に当接するように設けてある。
【００２２】
正面側箱部材２の上端近傍には、ボタンスイッチ２０のセンサーボタン２２を貫通させる円形の第１孔２ａ、及びスライドボタン２３を操作するための矩形の第２孔２ｂが開設してあり、第２孔２ｂの周囲は、該第２孔２ｂに向かうに従って正面側箱部材２の厚さが薄くなるテーパになしてある。また、正面側箱部材２の略中央には、前述したカバー部材４が内嵌する円形の第３孔２ｃが開設してあり、正面側箱部材２の下端近傍には、警報音を発出させる窓２ｄが設けてある。
【００２３】
図１に示した如く、ボタンスイッチ２０のセンサーボタン２２は、正面側箱部材２の第１孔２ａを貫通して正面側箱部材２から適宜長さだけ突出する寸法になしてあり、スライドボタン２３は、正面側箱部材２の第２孔２ｂに内嵌し、正面側箱部材２から突出しない寸法になしてある。これによって、盗難防止装置を盗難を防止すべき対象物に取り付けたときに、正面側箱部材２と対象物との間に隙間が生じることが防止される。
【００２４】
図６及び図７は、図１に示した盗難防止装置の使用状態を説明する説明図である。盗難防止装置１０は、その正面を箱及びケース等の対象物Ｔの一面に対向させてそれに当接させることによって、センサーボタン２２を外箱１内へ押し込んで閉路し、その状態で、合成樹脂製ラップ又は粘着テープ等の取り付け材によって対象物Ｔに取り付けてある。また、盗難防止装置１０が受信し得る強度の信号を所定の領域内へ送信する送信器を、出入口に設置したゲートに配設しておく。
【００２５】
このような盗難防止装置１０にあっては、取り付け材を取り除いて盗難防止装置１０を対象物Ｔから取り外した場合、センサーボタン２２が突出して開路するため、前述したマイクロコンピュータはそれを検出し、ブザーを作動させて第１警報音を発して、対象物Ｔの盗難を防止する。
【００２６】
一方、盗難防止装置１０を取り付けた対象物Ｔがゲートに接近して、盗難防止装置１０が送信器から送信された信号を受信した場合、内蔵するマイクロコンピュータはブザーを作動させて第１警報音を発し、対象物Ｔの盗難を防止する。また、盗難防止装置１０は、送信器以外の電子機器から適宜周期で発信される電波信号を断続的に又は連続的に受信し、計時時間が所定時間に達した場合、内蔵するマイクロコンピュータはブザーを作動させて第２警報音を発し、動作状態であることをユーザに知らせる。
【００２７】
図３は、図２に示したマイクロコンピュータ３０の機能ブロック図であり、図４及び図５はマイクロコンピュータ３０の信号受信時における動作を説明するフローチャートである。マイクロコンピュータ３０のＣＰＵ３１は、前述した共振装置１２（図２参照）から入力部３２に信号が与えられるまで消費電流が少ない待機状態で待機しており（ステップＳ１）、入力部３２に信号が与えられた場合、消費電流が多い動作状態に移行して（ステップＳ２）、当該ＣＰＵ３１の動作時間を計時する動作タイマ３３を作動させる（ステップＳ３）。
【００２８】
ＣＰＵ３１は、入力部３２に再び信号が与えられたか否かを判断し（ステップＳ４）、それが与えられた場合、後述するアラーム用タイマ３５が作動している場合にフラグを立てるフラグ設定部３４を参照し、そこにフラグが立っているか否かを判断する（ステップＳ１０）。ＣＰＵ３１は、フラグ設定部３４にフラグが立っていないと判断した場合、アラーム用タイマ３５を作動させる（ステップＳ１１）と共に、フラグ設定部３４にフラグを立てた（ステップＳ１２）後、信号解析部３６を作動させて、入力部３２に与えられた信号を解析せしめる（ステップＳ１３）。
【００２９】
ＣＰＵ３１は、ステップＳ１０でフラグ設定部３４にフラグが立っていると判断した場合、ステップＳ１１及びステップＳ１２をスキップして、前述したステップＳ１３の動作を実行する。ＣＰＵ３１は、信号解析部３６によって入力部３２に与えられた信号が、予め設定された信号、即ちゲートに設けた送信器から送信された信号であると判定されたか否かを判断し（ステップＳ１４）、予め設定された信号であると判定されたと判断した場合、出力部３７をしてブザーを作動させ、盗難防止の第１警報音を発生せしめる（ステップＳ２０）。
【００３０】
一方、ＣＰＵ３１は、ステップＳ１４で、予め設定された信号でないと判定されたと判断した場合、動作タイマ３３の計時時間をクリアした後に再計時させる再作動操作を行った（ステップＳ３０）後、アラーム用タイマ３５によって計時された時間が所定時間に達しているか否かを判断する（ステップＳ３１）。ＣＰＵ３１は、アラーム用タイマ３５によって計時された時間が所定時間に達していると判断した場合、出力部３７をしてブザーを作動させ、バッテリ消耗を知らせる第２警報音を発生せしめた（ステップＳ３２）後、ステップＳ４へ戻る。また、ＣＰＵ３１は、アラーム用タイマ３５によって計時された時間が所定時間に達していないと判断した場合、ステップＳ３２をスキップしてステップＳ４へ戻り、入力部３２に再び信号が与えられたか否かを判断する。
【００３１】
ユーザは、第２警報音の発せられた場合、盗難防止装置を待機状態に移行させるリセット操作を行った後、ゲートに設けた送信器以外の電子機器が盗難防止装置の近傍に存在すると判断して、盗難防止装置又は該当する電子機器の配置を変更する。これによって、盗難防止装置のバッテリ消耗を可及的に抑制することができる。
【００３２】
ＣＰＵ３１は、ステップＳ４で入力部３２に再び信号が与えられていないと判断した場合、動作タイマ３３の計時時間が所定時間に達したか否かを判断する（ステップＳ４０）。そして、ＣＰＵ３１は、動作タイマ３３の計時時間が所定時間に達していないと判断した場合、ステップＳ４へ戻る。
【００３３】
ＣＰＵ３１は、ステップＳ４０で、動作タイマ３３の計時時間が所定時間に達したと判断した場合、動作タイマ３３の計時時間及びアラーム用タイマ３５の計時時間、並びにフラグ設定部３４をクリアし（ステップＳ４１）、第２警報音が出力されている場合であっても、動作タイマ３３，アラーム用タイマ３５，フラグ設定部３４，信号解析部３６，及び出力部３７の動作を停止して待機状態へ移行する（ステップＳ４２）。
【００３４】
ゲートに設けた送信器が送信する信号とは異なる信号を発信する発信器を用いた悪戯を被った場合、マイクロコンピュータ３０は前述した如くブザーに第２警報音を発生せしめるため、発信器による信号の発信を停止して悪戯を中止せざるをえない。このとき、前述した如く、動作タイマ３３の計時時間が所定時間に達した場合、マイクロコンピュータ３０は第２警報音の出力を停止して待機状態に移行するため、ユーザがリセット操作を行うことなく、バッテリの消耗を可及的に抑制することができる。
【００３５】
なお、上述した実施の形態では、対象物への取り付け状態を検出する検出器をボタンスイッチにした場合に付いて説明したが、本発明はこれに限らず、ワイヤ又はピンを用いて対象物へ取り付け、ワイヤ又はピンの状態を検出するようになしてもよいことはいうまでもない。
【００３６】
【発明の効果】
以上詳述した如く、第１発明に係る盗難防止装置にあっては、ユーザは、送信器以外の電子機器から発信された電波信号によって盗難防止装置が動作していることを察知することができるため、盗難防止装置の動作を停止させる処置を施して、バッテリの消耗を可及的に抑制することができる。
【００３７】
第２発明に係る盗難防止装置にあっては、バッテリの消耗が更に抑制することができると共に、信号解析手段によって所定信号でないと解析された信号が所定時間受信された場合に行う、警報の出力が担保される。また、偶発的に警報が出力されることが防止される。更に、バッテリの消耗を可及的に抑制して発信器による悪戯を防止することができる。
【００３８】
第３発明に係る盗難防止装置にあっては、ユーザは、バッテリの消耗と、盗難の発生とを識別することができ、それぞれに対応する処置を迅速に実施することができる等、本発明は優れた効果を奏する。
【図面の簡単な説明】
【図１】本発明に係る盗難防止装置の一例を示す外観斜視図である。
【図２】図１に示した盗難防止装置の分解斜視図である。
【図３】図２に示したマイクロコンピュータの機能ブロック図である。
【図４】マイクロコンピュータの信号受信時における動作を説明するフローチャートである。
【図５】マイクロコンピュータの信号受信時における動作を説明するフローチャートである。
【図６】図１に示した盗難防止装置の使用状態を説明する説明図である。
【図７】図１に示した盗難防止装置の使用状態を説明する説明図である。
【図８】自鳴式の盗難防止タグの使用状態を説明する説明図である。
【図９】自鳴式の盗難防止タグの使用状態を説明する説明図である。
【符号の説明】
１    外箱
５    ボタン電池
１０  盗難防止装置
１１  基板
２０  ボタンスイッチ
３０  マイクロコンピュータ
３１  ＣＰＵ
３３  動作タイマ
３４  フラグ設定部
３５  アラーム用タイマ
３６  信号解析部
【図１】
0003632118.tif 000002
【図２】
0003632118.tif 000003
【図３】
0003632118.tif 000004
【図４】
0003632118.tif 000005
【図５】
0003632118.tif 000006
【図６】
0003632118.tif 000007
【図７】
0003632118.tif 000008
【図８】
0003632118.tif 000009
【図９】
0003632118.tif 000010